(57)【要約】【課題】流通過程や店頭で蓋が不正開封されると、不正開封された証拠が残り、不正開封されたことを外観から一目瞭然に確認することができる不正開封防止機能付キャップを提供する。【解決手段】プルリング144 で開封するキャップ本体100 の周壁150 後方部の上面から下方に、下端に係止凹部161 をもつ差込み凹部160 を設け、キャップ本体の周壁前方部の上方外周面に薄肉脆弱線401 を介して不正開封防止用接続帯400 を接続し、この不正開封防止用接続帯の他端に薄肉脆弱線402 を介して蓋200 の前方部に突設する開封用つまみ230 の左右方向の中央先端位置に接続し、蓋の周壁220 の上端外周面にヒンジ300 を介して先端に係止凸部311 をもつ差込み係止部310 を接続し、蓋をキャップ本体に閉じて、蓋の差込み係止部310 をキャップ本体の差込み凹部160 に差し込んで封止する。【選択図】図１
2006027616.tif 000002
【特許請求の範囲】
【請求項１】
プルリングで開封するキャップ本体の周壁後方部の上面から下方に、下端に係止凹部をもつ差込み凹部を設け、キャップ本体の周壁前方部の上方外周面に薄肉脆弱線を介して不正開封防止用接続帯を接続し、この不正開封防止用接続帯の他端に薄肉脆弱線を介して蓋の前方部に突設する開封用つまみの左右方向の中央先端位置に接続し、蓋の周壁の上端外周面にヒンジを介して先端に係止凸部をもつ差込み係止部を接続し、蓋をキャップ本体に閉じて、蓋の差込み係止部をキャップ本体の差込み凹部に差し込んで封止したことを特徴とする不正開封防止機能付キャップ。
【発明の詳細な説明】
【技術分野】
【０００１】
本発明は、キャップ本体の後方部に蓋がヒンジを介して開閉可能に接続するヒンジキャップであり、流通過程や店頭でキャップが不正開封されると、不正開封されたことが、外観から一目瞭然に判明することができる不正開封防止機能付キャップに関するものである。
【背景技術】
【０００２】
従来、市場の店頭などで商品の不正開封、例えば、ＰＥＴボトル（ポリエチレンテレフタレートを二軸延伸ブロー成形したボトル）の口頸部には、キャップ本体にヒンジを介して蓋が接続するヒンジキャップが螺合又は咬合により装着されているが、このキャップの蓋が故意に開けられ、キャップ本体の注出筒に収容されているプルリングを引っ張って、注出筒の内側下方の封鎖板に設けられている環状薄肉脆弱線を破断してキャップ本体を開封したのちに、再度、蓋をキャップ本体に閉じて、そのまま店頭に戻すと言う悪戯が多く見られいた。
【発明の開示】
【発明が解決しようとする課題】
【０００３】
しかしながら、上述の従来の蓋付のキャップは、注出筒を封止する封鎖板をプルリングにより開口して初めて容器が開封されるものであるため、一般的には、蓋の不正開封防止策は取られていなかった。不正開封防止機能をもつキャップも開発されつつあるが、不正開封されても、不正開封されたことが外観から分かりにくいものであった。
【０００４】
本発明は、上述の従来のキャップの問題点を解決したものであり、流通過程や店頭で蓋が不正開封されると、不正開封された証拠が残り、不正開封されたことを外観から一目瞭然に確認することができる不正開封防止機能付キャップを提供するものである。
【課題を解決するための手段】
【０００５】
すなわち、本発明は、プルリングで開封するキャップ本体の周壁後方部の上面から下方に、下端に係止凹部をもつ差込み凹部を設け、キャップ本体の周壁前方部の上方外周面に薄肉脆弱線を介して不正開封防止用接続帯を接続し、この不正開封防止用接続帯の他端に薄肉脆弱線を介して蓋の前方部に突設する開封用つまみの左右方向の中央先端位置に接続し、蓋の周壁の上端外周面にヒンジを介して先端に係止凸部をもつ差込み係止部を接続し、蓋をキャップ本体に閉じて、蓋の差込み係止部をキャップ本体の差込み凹部に差し込んで封止したことを特徴とする不正開封防止機能付キャップである。
【発明の効果】
【０００６】
本発明の不正開封防止機能付キャップ（１０）は、図２に示すように、蓋（２００）をキャップ本体（１００）に閉じて未開封の場合には、蓋の後方部は、ヒンジ（３００）を介してキャップ本体に接続し、また、蓋の前方部に突設する開閉用つまみ（２３０）の左右方向の中央先端位置には、薄肉脆弱線（４０１）を介して不正開封防止用接続帯（４００）が接続し、この不正開封防止用接続帯の他端は、キャップ本体の周壁（１５０）前方部の上方外周面に接続している。このため、流通過程や店頭などで、開閉用つまみで蓋をキャップ本体から不正開封されると、不正開封防止用接続帯の上端又は下端の薄肉脆弱線（４０１又は４０２）、または、両端の薄肉脆弱線（４０１及び４０２）が必ず破断される。この破断された不正開封防止用接続帯は、元の状態に戻すことは不可能であるため、不正開封されたことの証拠が残り、この不正開封防止用接続帯の薄肉脆弱線の破断から、不正開封されことが、外観から一目瞭然に確認できる。
【発明を実施するための最良の形態】
【０００７】
次に、本発明の不正開封防止機能付キャップの一実施形態について、図を用いて詳細に説明する。
【０００８】
図１は、本実施形態の不正開封防止機能付キャップの蓋を開いた状態における断面図であり、図２は、蓋をキャップ本体に閉じたのち、蓋の後方のヒンジに接続する差込み係止部を、キャップ本体の後方の差込み凹部に差し込んで係止してキャップを封止したときの側面図である。
【０００９】
本実施形態の不正開封防止機能付キャップ（１０）は、図１に示すプルリング（１４４）で注出筒（１３０）の内側を封止する封鎖板（１４０）を開口するキャップ本体（１００）の後方部に、図２に示すように、ヒンジ（３００）を介して開閉可能に蓋（２００）が接続するいわゆるヒンジキャップであり、そして、流通過程や店頭における不正開封防止機能も有するキャップである。なお、本実施形態の不正開封防止機能付キャップは、図１に示す環状薄肉脆弱線（１４２）や薄肉脆弱線（４０１，４０２）をもちこれに所定の力（開封するための通常の力）が加わったときに破断される必要があるため、破断可能な低密度ポリエチレンなどの熱可塑性樹脂を用いて、射出成形法により図１に示すキャップ本体（１００）、ヒンジ（３００）、蓋（２００）、不正開封防止用接続帯（４００）を一体に成形するものである。なお、薄肉脆弱線の強度は、成形材料の材質、厚み及び幅などにより調整されるものである。
【００１０】
本実施形態の不正開封防止機能付キャップ（１０）の構造は、図１に示すように、    
プルリング（１４４）で開封するキャップ本体（１００）の周壁（１５０）前方部の上面から下方に、下端に係止凹部（１６１）をもつ差込み凹部（１６０）を設け、キャップ本体の周壁前方部の上方外周面に薄肉脆弱線（４０２）を介して不正開封防止用接続帯（４００）を接続し、この不正開封防止用接続帯の他端に薄肉脆弱線（４０１）を介して蓋（２００）の前方部に突設する開封用つまみ（２３０）の左右方向の中央先端位置に接続し、蓋の周壁の上端外周面にヒンジ（３００）を介して先端に係止凸部（３１１）をもつ差込み係止部（３１０）を接続するものである。
【００１１】
キャップ本体（１００）は、図１に示すように、天板（１１０）の外周内側縁部に、上端外周に蓋（２００）との咬合リング（１２１）をもつ液垂れ防止筒（１２０）を突設し、その内側の天板下面に容器とのインナー封止リング（１１１）（外周面を容器口頸部内周面に密接）を垂設し、その内側に、注出筒（１３０）を設け、この注出筒の内側下端に封鎖板（１４０）を設けて封鎖し、この封鎖板の開口予定位置に、下面に環状切込み（１４１）を設けて上面に環状薄肉脆弱線（１４２）を形成し、この環状薄肉脆弱線の内側近傍位置に、先端にプルリング（１４４）をもつ支柱（１４３）を突設し、周壁（１５０）の下端内周面に容器との咬合リング（１５１）を設けるものである。
【００１２】
蓋（２００）は、図１に示すように、天板（２１０）の下面にキャップ本体（１００）とのインナー封止リング（２１１）（外周面をキャップ本体の注出筒上端部内周面に密接）を垂設し、周壁（２２０）の下端内周面にキャップ本体との咬合リング（２２１）を設けるものである。
【００１３】
本実施形態の不正開封防止機能付キャップ（１０）は、図１に示すように、蓋（２００）をキャップ本体（１００）に閉じて（矢印）、蓋の差込み係止部（３１０）をキャップ本体の差込み凹部（１６０）に差し込んで、係止凸部（３１１）を係止凹部（１６１）に係止してキャップを封止するものである。そして、この封止したキャップを、内容物を充填した容器の口頸部に、打栓方式で装着するものである。なお、容器との装着は、本実施
形態の咬合によるものに限るものではなく、螺合によるものでもよい。
【００１４】
上述した本実施形態の不正開封防止機能付キャップ（１０）は、図２に示す蓋（２００）の開封用つまみ（２３０）と不正開封防止用接続帯（４００）と接続する薄肉脆弱線（４０１）、不正開封防止用接続帯とキャップ本体（１００）の周壁（１５０）を接続する薄肉脆弱線（４０２）のいずれか一方又は両方を破断することなくしては、キャップを開封することはできなかった。また、この薄肉脆弱線の破断の状況は、外観から一目瞭然に確認されるものであった。
【図面の簡単な説明】
【００１５】
【図１】本発明の一実施形態の不正開封防止機能付キャップの蓋を開いた状態における断面図である。
【図２】図１の不正開封防止機能付キャップの蓋をキャップ本体に閉じたのち、蓋の後方のヒンジに接続する差込み係止部を、キャップ本体の後方の差込み凹部に差し込んで係止してキャップを封止したときの側面図である。
【符号の説明】
【００１６】
１０……不正開封防止機能付キャップ
１００……キャップ本体
１１０，２１０……天板
１１１，１５１，２１１……インナー封止リング
１２０……液垂れ防止筒
１２１，１５１，２２１……咬合リング
１３０……注出筒
１４０……封鎖板
１４１……環状切込み
１４２……環状薄肉脆弱線
１４３……支柱
１４４……プルリング
１５０，２２０……周壁
１６０……差込み凹部
１６１……係止凹部
２００……蓋
２３０……開閉用つまみ
３００……ヒンジ
３１０……差込み係止部
３１１……係止凸部
４００……不正開封防止用接続帯
４０１，４０２……薄肉脆弱線
【図１】
2006027616.tif 000003
【図２】
2006027616.tif 000004